(57)【要約】      （修正有）【課題】便器の位置を変更しても、便器と下カバーとの位置がずれることのない便器装置を提供する。【解決手段】便器本体２１と、便器本体２１に固定される便器洗浄タンク４と、便器洗浄タンク４の下方空間Ｓを覆う下カバー５４と、を有する便器装置であって、便器洗浄タンク４は、両側面に支持部材４５１を有し、下カバー５４は、フレーム部材４５１に対して固定されている。【選択図】図３
2019190241.tif 000002
【特許請求の範囲】
【請求項１】
便器本体と、前記便器本体に固定される便器洗浄タンクと、前記便器洗浄タンクの下方空間を覆う下カバーと、を有する便器装置であって、
前記便器洗浄タンクは、前記下カバーの支持部材を有し、
前記下カバーは、前記支持部材に対して固定されている、便器装置。
【請求項２】
前記下カバーは、前記下方空間の側方を覆う側部カバーと、前記下方空間の前方を覆う前部カバーと、に分割されている、請求項１に記載の便器装置。
【請求項３】
前記便器洗浄タンクは、洗浄水を貯留するタンク本体と、前記タンク本体の下面を支持するベースプレートと、を有し、
前記ベースプレートに、前記支持部材が固定されている、請求項１又は２に記載の便器装置。
【請求項４】
前記側部カバーの色と前記前部カバーの色とが異なる、請求項２に記載の便器装置。
【発明の詳細な説明】
【技術分野】
【０００１】
本発明は、便器装置に関する。
【背景技術】
【０００２】
従来、便器本体と便器本体に洗浄水を供給する便器洗浄タンクとを有する便器装置において、床面にフレームを固定し、このフレームにカバーを固定することにより、便器洗浄タンク及び便器洗浄タンクの下方空間をカバーによって覆うことが知られている（例えば、特許文献１参照）。
【先行技術文献】
【特許文献】
【０００３】
【特許文献１】特開平５−２６３４５３号公報
【発明の概要】
【発明が解決しようとする課題】
【０００４】
特許文献１に記載の技術では、下カバーの位置がフレームによって固定されているため、便器の位置が下カバーに対してずれていると、便器と下カバーとの間に隙間が形成されて意匠を低下させるおそれがある。このため、リフォーム対応時に便器の位置を変更することが困難であるという問題があった。
【０００５】
本発明は、便器の位置を変更しても、便器と下カバーとの位置がずれることのない便器装置を提供することを目的とする。
【課題を解決するための手段】
【０００６】
（１）  本発明に係る便器装置は、便器本体（例えば、後述の便器本体２１）と、前記便器本体に固定される便器洗浄タンク（例えば、後述の便器洗浄タンク４）と、前記便器洗浄タンクの下方空間（例えば、後述の下方空間Ｓ）を覆う下カバー（例えば、後述の下カバー５４）と、を有する便器装置（例えば、便器装置１）であって、前記便器洗浄タンクは、前記下カバーの支持部材（例えば、後述の側面フレーム部材４５１）を有し、前記下カバーは、前記支持部材に対して固定されている。
【０００７】
（２）  （１）に記載の便器装置において、前記下カバーは、前記下方空間の側方を覆う側部カバー（例えば、後述の側部カバー５４１）と、前記下方空間の前方を覆う前部カバー（例えば、後述の前部カバー５４２）と、に分割されていることが好ましい。
【０００８】
（３）  （１）又は（２）に記載の便器装置において、前記便器洗浄タンクは、洗浄水を貯留するタンク本体（例えば、後述のタンク本体４１）と、前記タンク本体の下面を支持するベースプレート（例えば、後述のベースプレート４３）と、を有し、前記ベースプレートに、前記支持部材が固定されていることが好ましい。
【０００９】
（４）  （２）に記載の便器装置において、前記側部カバーの色と前記前部カバーの色とが異なることが好ましい。
【発明の効果】
【００１０】
本発明によれば、便器の位置を変更しても、便器とカバーとの位置がずれることのない便器装置を提供することができる。
【図面の簡単な説明】
【００１１】
【図１】本発明に係る便器装置の斜視図である。
【図２】本発明に係る便器装置の便器洗浄タンクの内部を示す平面図である。
【図３】本発明に係る便器装置のタンクカバーを分解した様子を示す斜視図である。
【図４】便器洗浄タンクの下部構造の要部を拡大して示す断面図である。
【図５】タンクカバーの下カバーの取り付け部を拡大して示す側面図である。
【図６】タンクカバーの後カバーの要部を拡大して示す斜視図である。
【図７】タンクカバーの前カバーの要部を拡大して示す斜視図である。
【図８】図７中のＡ−Ａ線に沿う部位の前カバーと後カバーとの係合構造を拡大して示す断面図である。
【図９】タンクカバーの前カバーと後カバーとを組み付けた状態を後方側から見た便器洗浄タンクの斜視図である。
【図１０】タンクカバーの後カバーから前カバーと上カバーとを取り外す様子を示す便器洗浄タンクの要部の側面図である。
【図１１】前カバーと上カバーとの取付け構造を示す便器洗浄タンクの要部の断面図である。
【図１２】タンクカバーの下カバーを分解して示す図である。
【発明を実施するための形態】
【００１２】
以下、本発明の実施形態について図面を参照して詳細に説明する。
本実施形態に示す便器装置１は、図１に示すように、便器２が床面ｆ１に設置される床置きタイプの便器装置を示している。便器装置１は、便器２と、便器洗浄装置３と、を備えている。なお、以下の説明において、便器２に着座した使用者から見た場合の前後の向きを前後方向とする。また、便器２に着座した使用者から見た場合の左右の向きを幅方向とする。更に、便器２が設置される床面に対する鉛直方向に沿う上下の向きを上下方向とする。
【００１３】
便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。本実施形態に示す便器本体２１は焼成品からなる陶器製である。便器本体２１の後部の両側面には、それぞれサイドカバー２１１が面ファスナー等によって着脱可能に取り付けられ、便器本体２１の後部を遮蔽している。
【００１４】
便器洗浄装置３は、便器本体２１の後方に配置されている。便器洗浄装置３は、便器洗浄タンク４と、便器洗浄タンク４の外装体であるタンクカバー５と、を含んで構成される。
便器洗浄タンク４は、図３に示すように、タンク本体４１と、内蓋４２と、ベースプレート４３と、防露材４４と、補強フレーム４５と、を備えている。
【００１５】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。その結果、このタンク本体４１を有する便器洗浄タンク４を備えた便器装置１は、前後方向の寸法（前出寸法）を縮小化することが可能である。
【００１６】
タンク本体４１の内部には、洗浄水が貯留されると共に、図２に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００１７】
内蓋４２は、タンク本体４１の上面開口部４１１を被蓋するように設けられている。内蓋４２は、内蓋本体４２１と、点検蓋４２２とで構成される。内蓋本体４２１は、上面開口部４１１の全周に沿って装着され、タンク本体４１に対してねじ止めされている。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００１８】
ベースプレート４３は、タンク本体４１の下部に取り付けられている。本実施形態に示すベースプレート４３は、タンク本体４１よりも硬質な樹脂によって形成され、タンク本体４１の底面形状と略等しい平面形状を有している。ベースプレート４３は、タンク本体４１の下面を支持すると共に、ベースプレート４３の底部から突出する一対の緊締ボルト４３１（図３参照）によって、便器本体２１の後部側の上面２１ａに固定されることにより、タンク本体４１を便器本体２１に固定する機能を有する。
【００１９】
タンク本体４１とベースプレート４３との取付け構造を図４に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図４において図示せず）の弁座を構成する部品であり、下面開口部４１３よりも大径なフランジ部４６１を有している。弁座シート４６は、フランジ部４６１とタンク本体４１との間にパッキン４６ａを挟んで、タンク本体４１の内側から装着されている。
【００２０】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２１】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２２】
タンク本体４１に固定されたベースプレート４３は、下面に突設される一対の緊締ボルト４３１を、便器本体２１の設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００２３】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むようにタンク本体４１の外周面に装着されている。防露材４４は、少なくともタンク本体４１内に貯留される洗浄水の水位に対応する高さを有する。
【００２４】
この防露材４４は、前側防露材４４１と後側防露材４４２とに前後方向に２分割されているため、成形型から離型するための抜き勾配が前後方向に設けられ、上下方向には抜き勾配は設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、防露材の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図ることが可能となり、便器装置１の前後方向の寸法（前出寸法）を更に縮小化することが可能である。
【００２５】
本実施形態に示す補強フレーム４５は、図３に示すように、便器洗浄タンク４の両側面に配置される金属製の側面フレーム部材４５１と、便器洗浄タンク４の前面側に幅方向に延びるように配置される金属製の補強ステー４５２と、を有している。なお、図３では、便器本体２１を破線で示し、便器本体２１上の便座２２、便蓋２３及び便器装置の機能部２４の図示を省略している。
【００２６】
側面フレーム部材４５１は、本発明の支持部材に対応する。側面フレーム部材４５１は、ベースプレート４３の幅方向の両端面４３ａ（図３参照）に、それぞれ固定ねじ４５ａによって固定されている。これにより、側面フレーム部材４５１は、便器洗浄タンク４のベースプレート４３を介して、間接的に便器本体２１に取り付けられている。側面フレーム部材４５１は、ベースプレート４３からタンク本体４１の略１／２の高さに亘る範囲の便器洗浄タンク４の側面を覆うように配置されている。側面フレーム部材４５１は、平面視コ字型に形成されており、ベースプレート４３に取り付けられることによって、前側防露材４４１と後側防露材４４２とが前後に開かないように、２分割されている防露材４４を前後方向から挟持している。この側面フレーム部材４５１は、本発明のフレーム部材に対応する。
【００２７】
図５に示すように、側面フレーム部材４５１の下端部４５１ａは、後カバー５２によって覆われておらず、後カバー５２及びベースプレート４３よりも下方にはみ出している。この下端部４５１ａは、後述する下カバー５４の取り付け部となっている。ここには、２つのねじ穴４５１ｂと、その間に１つのボス穴４５１ｃとが形成されている。
【００２８】
補強ステー４５２の両端部は、左右の側面フレーム部材４５１に固定ねじ４５ｂによってそれぞれ固定されている。これにより、左右の側面フレーム部材４５１同士が補強ステー４５２によって連結され、側面フレーム部材４５１に生じるスプリングバック等によって側面フレーム部材４５１が左右方向に広がることを防止している。
【００２９】
補強フレーム４５は、使用者がタンクカバー５に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止め、ベースプレート４３を介して便器本体２１に逃がすことができる。
【００３０】
タンクカバー５は、図１〜図３に示すように、便器洗浄タンク４の前方を覆う前カバー５１と、便器洗浄タンク４の側方及び後方を覆う後カバー５２と、便器洗浄タンク４の上方を覆う上カバー５３と、を有している。前カバー５１は、便器本体２１の上方に配置されると共に、便器本体２１上の便座装置の機能部２４と便器洗浄タンク４との間に配置される。
【００３１】
後カバー５２は、便器洗浄タンク４の高さと略同一の高さを有する。後カバー５２は、便器洗浄タンク４の両側方にそれぞれ設けられた側面フレーム部材４５１に対して、固定ねじ５２ａによってねじ止めされる。前カバー５１と上カバー５３は、後カバー５２に対して取り外し可能に設けられている。これにより、本実施形態に示すタンクカバー５は、側面フレーム部材４５１及びベースプレート４３を介して、間接的に便器本体２１に固定される。また、便器洗浄タンク４の全体がタンクカバー５によって遮蔽されるため、見栄えが良好となり、意匠性が向上する。
【００３２】
また、便器洗浄タンク４の下方空間Ｓは、下カバー５４によって覆われるため、便器２の後方に配置される配管部品１００（図３参照）が目隠しされると共に、便器２の後方側が、便器洗浄装置３から下方向に延びる薄型の略直方形状に統一され、意匠性が更に向上する。この下カバー５４の詳細については更に後述する。
【００３３】
タンクカバー５の前カバー５１は、後カバー５２に対して取り外し可能であるため、便器洗浄タンク４のメンテナンスの際は、前カバー５１を取り外すことにより、便器洗浄タンク４に容易にアクセス可能である。このとき、便器洗浄タンク４自体を便器本体２１から取り外す必要はないため、メンテナンス作業も容易に行うことができる。
【００３４】
本実施形態に示す前カバー５１は、後カバー５２に対して上方に向けて取り外し可能に設けられている。これにより、タンクカバー５の下部前方に配置される便座２２、便蓋２３及び便座装置の機能部２４を便器本体２１に取り付けた状態のまま、前カバー５１を取り外して便器洗浄タンク４に対してアクセスすることが可能となり、便器洗浄タンク４のメンテナンス性を更に向上させることができる。
【００３５】
ここで、本実施形態に示すタンクカバー５の前カバー５１と後カバー５２との係合構造について、図６〜図８を用いて説明する。
先ず、図６に示すように、後カバー５２の２つの前端部５２１（図６では一方の前端部５２１のみを示す）の外側に、上下方向に沿う前側突条部５２２及び後側突条部５２３が設けられている。前側突条部５２２と後側突条部５２３とは平行である。このうちの後側突条部５２３は、後カバー５２の上下方向の略全長に亘って形成されているのに対し、前側突条部５２２は、後カバー５２の上下方向に一定の間隔を置いて複数に分割されている。これにより、後カバー５２の前端部５２１の外側には、前側突条部５２２が設けられている部位のみに、前側突条部５２２と後側突条部５２３との間に溝５２４が形成される。
【００３６】
一方、図７に示すように、前カバー５１は、後カバー５２よりも僅かに幅広に形成されることにより、後カバー５２の両側方にそれぞれ張り出すオーバーハング形状を有する。これにより、便器装置１を正面視（前方側から観察）した場合、後カバー５２が前カバー５１に覆い隠され、前カバー５１の両側からはみ出さず、見栄えが良くなる。しかも、図１に示すように、前カバー５１の上部も、後カバー５２よりも僅かに上方に張り出すように形成され、後カバー５２の高さ方向も覆い隠している。このため、後カバー５２の全体が前カバー５１の背面に覆い隠されるので、便器装置１の意匠性が更に向上する。
【００３７】
図７に示すように、前カバー５１には、幅方向の両端縁から上端縁に亘って、外周リブ５１１が形成されている。外周リブ５１１は、後カバー５２の前端部５２１の溝５２４を覆うことができるように、後方に向けて突出している。このうち、前カバー５１の幅方向の両端に配置される外周リブ５１１ａの内側には、後カバー５２の溝５２４と係合可能な係合突起５１２が、上下方向に間隔をおいて複数形成されている。１つの係合突起５１２の上下方向の長さは、後カバー５２の上下に隣接する前側突条部５２２の間隔よりも僅かに短く形成されている。
【００３８】
この前カバー５１を後カバー５２に取り付ける場合は、上下に隣接する前側突条部５２２の間を通って係合突起５１２を後側突条部５２３に当接させた後、後側突条部５２３に沿って下方にスライド移動させることにより、図８に示すように、前カバー５１の係合突起５１２を、前側突条部５２２と後側突条部５２３との間の溝５２４に係合させる。これにより、前カバー５１は、後カバー５２に対して上方向にスライド移動可能に取り付けられる。前カバー５１の取り付け及び取り外しは、前カバー５１の係合突起５１２を、上下に隣接する前側突条部５２２の間を通すことによって行うことができるため、前カバー５１の取り付け及び取り外しのための移動ストロークを短くすることができる。
【００３９】
前カバー５１の係合突起５１２は、外周リブ５１１ａの内側に設けられているため、前カバー５１の前面に、係合突起５１２を設けることに起因するヒケが形成されず、前カバー５１の外観も良好となる。更に、前カバー５１の外周リブ５１１ａによって、前カバー５１と後カバー５２との係合部分を覆い隠すことができるため、便器装置１の側方からの見栄えも良好となる。
【００４０】
後カバー５２に取り付けられた前カバー５１は、前カバー５１の裏面に設けられた一対の取付け片５１３を利用して、後カバー５２の上方に取り付けられる。具体的には、図９に示すように、後カバー５２の前端部５２１の上端部には、便器洗浄タンク４よりも上方の部位にそれぞれ前カバー取付け部５２５が設けられている。前カバー５１は、取付け片５１３を後カバー５２の前カバー取付け部５２５に当接させ、固定ねじ５１ａによって固定される。このため、便器洗浄タンク４を便器本体２１に固定した状態のまま、便器洗浄タンク４よりも上方で固定ねじ５１ａを取り外すことにより、前カバー５１の取り外し作業を行うことが可能である。これにより、前カバー５１の交換や意匠替えを容易に行うことができる。
【００４１】
また、前カバー５１は後カバー５２と別体であるため、前カバー５１の色と後カバー５２の色とを異ならせることが可能である。例えば、前カバー５１に対して後カバー５２を暗い色にして明度の差を設けることにより、前カバー５１に浮遊感を持たせることができ、意匠性を更に向上させることができる。また、前カバー５１と後カバー５２との材質を異ならせることもできる。
【００４２】
上カバー５３は、前カバー５１が後カバー５２に固定された後に、後カバー５２の上部に取り付けられる。図１０及び図１１に示すように、上カバー５３の前端中央部には、上方に向けて突出する突起部５３１を有している。一方、前カバー５１の上端側の外周リブ５１１ｂの中央部には、図７及び図９に示すように、外周リブ５１１ｂの内端側が下方に向けて更に屈曲されることにより、上カバー５３の突起部５３１を収容する収容溝５１５が形成されている。
【００４３】
上カバー５３は、突起部５３１を前カバー５１の収容溝５１５に収容することにより、後カバー５２の上部に装着される。その後、上カバー５３は、固定ねじ５３ａによって、後カバー５２の前端部５２１の上端に設けられたねじ穴５２６に固定される。これにより、前カバー５１の上端部は、上カバー５３と係合するため、前カバー５１の前方への抜け外れが防止される。なお、上カバー５３の上面は、図１０及び図１１に示すように、後方に向けて下り傾斜している。前カバー５１の上端部は、この上カバー５３も背面に覆い隠すように延びているため、便器装置１の正面側から上カバー５３も見えにくくなっている。
【００４４】
このように構成されるタンクカバー５において、前カバー５１を取り外す際は、図１０に示すように、先ず、上カバー５３を後カバー５２の上部から取り外した後、前カバー５１の固定ねじ５１ａを取り外す。その後、前カバー５１を上方にスライド移動させることにより、便器洗浄タンク４の前方側を開放させ、メンテナンスを行うことができる。
【００４５】
次に、下カバー５４について説明する。
本実施形態に示す下カバー５４は、便器装置１に一対設けられている。即ち、下カバー５４は、図３に示すように、便器洗浄タンク４の下方且つ便器本体２１の後部左右にそれぞれ配置されている。
【００４６】
一対の下カバー５４は実質的に同一構成であるため、一方の下カバー５４（使用者から見て便器装置１の左側に配置される下カバー５４）の具体的構成について、図１２を用いて説明する。
本実施形態に示す下カバー５４は、側部カバー５４１と前部カバー５４２とで構成される。側部カバー５４１は、便器洗浄タンク４の下方空間Ｓの側方を覆う板材であり、前部カバー５４２は、便器洗浄タンク４の下方空間Ｓの前方を覆う板材である。
【００４７】
側部カバー５４１と前部カバー５４２とは、直交するように一体に組み合わされている。具体的には、側部カバー５４１の裏面の上部には、ねじ穴を有する係止ピン５４１ａが突設されている。また、側部カバー５４１の裏面の下部には、ねじ穴を有する取付け台５４１ｂが突設されている。これら係止ピン５４１ａ及び取付け台５４１ｂは、側部カバー５４１において前部カバー５４２が取り付けられる側縁の近傍に配置されている。
【００４８】
一方、前部カバー５４２の裏面の上部には、係止ピン５４１ａに対応して、係止ピン５４１ａに対して引っ掛けて係止可能な係止フック部５４２ａが突設されている。また、前部カバー５４２の裏面の下部には、取付け台５４１ｂに対応して、ねじ穴を有する取付け片５４２ｂが突設されている。これら係止フック部５４２ａ及び取付け片５４２ｂは、前部カバー５４２において側部カバー５４１に取り付けられる側縁の近傍に配置されている。
【００４９】
側部カバー５４１と前部カバー５４２とを一体に組み付けるには、前部カバー５４２の係止フック部５４２ａを、側部カバー５４１の係止ピン５４１ａに係止させると共に、前部カバー５４２の取付け片５４２ｂのねじ穴を側部カバー５４１の取付け台５４１ｂのねじ穴に一致させる。前部カバー５４２には、側部カバー５４１を取り付ける側縁に、側部カバー５４１の側縁を嵌合させる複数の嵌合溝５４２ｃが形成されており、側部カバー５４１の側縁が、各嵌合溝５４２ｃに対して嵌合することにより、側部カバー５４１と前部カバー５４２とは位置決めされる。その後、係止フック部５４２ａを固定ねじ５４ｂによって係止ピン５４１ａに対して固定すると共に、取付け片５４２ｂを固定ねじ５４ｃによって取付け台５４１ｂに対して固定することにより、側部カバー５４１と前部カバー５４２とが一体に組み付けられる。
【００５０】
下カバー５４は、このように側部カバー５４１と前部カバー５４２とが一体に組み付けられた状態で、図３に示すように、便器洗浄タンク４の側面フレーム部材４５１に取り付けられる。側部カバー５４１の裏面の上端部近傍には、図１２に示すように、一対のねじ穴５４１ｃが形成されていると共に、この一対のねじ穴５４１ｃの間に１つのボス部５４１ｄが突設されている。一対のねじ穴５４１ｃは、図５に示す側面フレーム部材４５１の下端部４５１ａに形成された一対のねじ穴４５１ｂに対応し、ボス部５４１ｄは、側面フレーム部材４５１の下端部４５１ａに形成された１つのボス穴４５１ｃに対応する。従って、下カバー５４は、ボス部５４１ｄが側面フレーム部材４５１のボス穴４５１ｃに嵌合することによって位置決めされ、図３に示すように、側部カバー５４１のねじ穴５４１ｃにそれぞれ挿通される固定ねじ５４ａによって固定される。下カバー５４は、ねじ固定されることにより、下カバー５４に荷重が掛かるような場合でも、便器洗浄タンク４に対する取付け状態を長期に亘って維持することができる。
【００５１】
このようにして下カバー５４が便器洗浄タンク４に取り付けられることにより、便器洗浄タンク４の下方空間Ｓが覆い隠される。これにより、下カバー５４の側部カバー５４１は、後カバー５２から下方に向けて延びる側面を構成すると共に、前部カバー５４２は、前カバー５１から下方に向けて延びる前面を構成する。このため、便器２の後方側は、上下方向に亘って統一された箱型形状となり、便器装置１の意匠性が向上する。
【００５２】
下カバー５４が便器洗浄タンク４に取り付けられた際、前部カバー５４２は、便器本体２１の両側面にそれぞれ取り付けられるサイドカバー２１１よりも幅方向の内側に入り込むように配置される。このとき、前部カバー５４２と便器本体２１との間は、隙間を有して離間して配置される。また、下カバー５４は、床面ｆ１とも接しておらず、床面ｆ１との間に所定の隙間を有して配置される。これらの隙間により、便器本体２１の幅方向及び高さ方向の寸法誤差を吸収できるため、便器本体２１の寸法誤差によって下カバー５４が便器本体２１や床面ｆ１と接触してずれてしまうことはない。また、下カバー５４の前部カバー５４２は、サイドカバー２１１との間にも隙間を有して離間して配置される。これにより、サイドカバー２１１の取付けを調整することができる。
【００５３】
また、本実施形態に示す下カバー５４は、側部カバー５４１と前部カバー５４２とに分割されているため、側部カバー５４１と前部カバー５４２とで色や素材を異ならせることができる。特に、側部カバー５４１の色と前部カバー５４２の色とを異ならせることにより、更に意匠性を向上させることもできる。
【００５４】
なお、本実施形態に示す便器本体２１は焼成品であるため、一般に個体差が大きく、寸法ばらつきを有している。しかし、下カバー５４は、便器本体２１に固定される便器洗浄タンク４の側面フレーム部材４５１に対して固定され、便器本体２１を取付け基準とするため、便器本体２１の個体差に関わらず、便器本体２１に対して一体の位置を保つことができる。このため、リフォーム等によって便器２の位置に変更が生じるようなことがあっても、下カバー５４を含めたタンクカバー５の全体の位置が、便器２に対してずれるようなことはない。
【００５５】
また、下カバー５４は、固定ねじ５４ａによってねじ固定されるものに限らず、磁石や面ファスナーによって着脱可能に取り付けられるようにしてもよい。また、側部カバー５４１と前部カバー５４２との固定構造も、磁石や面ファスナーによって一体に組み付けられるようにしてもよい。
【００５６】
以上の実施形態では、側面フレーム部材４５１は便器洗浄タンク４のベースプレート４３に固定されるようにしたが、側面フレーム部材４５１は便器本体２１に直接固定されてもよい。
【００５７】
また、下カバー５４の支持部材は、ベースプレート４３の両端面４３ａに設けられていなくてもよい。例えば、支持部材は、ベースプレート４３の前面側又は後面側に設けられてもよい。
【符号の説明】
【００５８】
１  便器装置
２１  便器本体
４  便器洗浄タンク
４５１  側面フレーム部材（支持部材）
５４  下カバー
５４１  側部カバー
５４２  前部カバー
Ｓ  下方空間
【図１】
2019190241.tif 000003
【図２】
2019190241.tif 000004
【図３】
2019190241.tif 000005
【図４】
2019190241.tif 000006
【図５】
2019190241.tif 000007
【図６】
2019190241.tif 000008
【図７】
2019190241.tif 000009
【図８】
2019190241.tif 000010
【図９】
2019190241.tif 000011
【図１０】
2019190241.tif 000012
【図１１】
2019190241.tif 000013
【図１２】
2019190241.tif 000014